(57)【要約】【課題】磁気テープへのデータ書き込み時に発生するエラー要因が、読み取り部にあるのか、書き込み部にあるのか、あるいはそれ以外にあるのかを判別して迅速な障害復旧を可能とする。【解決手段】磁気テープに書き込んだデータを直後に読み出して検証するリードアフタライト機能を備える磁気テープ装置において、データ書き込み部の異常を検出する書き込み部エラー検出手段と、データ読み取り部の異常を検出する読み取り部エラー検出手段とを設け、前記リードアフタライト機能により書き込みエラーが検出された場合に、エラー要因が前記データ書き込み部にあるのか前記データ読み取り部にあるのかを判別して上位装置に報告するよう構成する。【選択図】        図３
2005018953.tif 000002
【特許請求の範囲】
【請求項１】
磁気テープに書き込んだデータを直後に読み出して検証するリードアフタライト機能を備える磁気テープ装置において、データ書き込み部の異常を検出する書き込み部エラー検出手段と、データ読み取り部の異常を検出する読み取り部エラー検出手段とを備え、前記リードアフタライト機能により書き込みエラーが検出された場合に、エラー要因が前記データ書き込み部にあるのか前記データ読み取り部にあるのかを判別して上位装置に報告することを特徴とする磁気テープ装置。
【請求項２】
請求項１に記載の磁気テープ装置において、前記書き込み部エラー検出手段は、書き込みヘッドの書き込み電圧レベルを監視し、前記読み取り部エラー検出手段は、読み取りヘッドからの再生出力レベルを監視してエラー検出を行うことを特徴とする磁気テープ装置。
【請求項３】
請求項２に記載の磁気テープ装置において、前記読み取り部エラー検出手段は、読み取りヘッドからの出力をプリアンプとＡＧＣアンプの間で抽出してエラー検出を行うことを特徴とする磁気テープ装置。
【請求項４】
請求項３に記載の磁気テープ装置において、前記リードアフタライト機能により書き込みエラーが検出された場合に、（１）前記書き込み部エラー検出手段が異常を検出した場合に書き込みヘッドまたは書き込み回路部の異常として上位装置に報告し、（２）前記読み取り部エラー検出手段が異常を検出した場合に磁気テープまたは読み取りヘッドまたはプリアンプの異常として上位装置に報告し、（３）前記（１）と（２）のいずれでもない場合には再生回路部における前記ＡＧＣアンプより後段の回路またはフォーマッタ部の異常として上位装置に報告するエラー報告手段を備えることを特徴とする磁気テープ装置。
【請求項５】
請求項１ないし４のいずれかに記載の磁気テープ装置がマルチトラック式の磁気テープ装置であり、トラック毎に前記エラー検出手段が設けられていることを特徴とする磁気テープ装置。
【請求項６】
請求項１に記載の磁気テープ装置において、前記読み取り部エラー検出手段は、前記リードアフタライト機能によらない通常のデータ再生時にも前記読み取り部のエラー検出を行うことを特徴とする磁気テープ装置。
【発明の詳細な説明】
【０００１】
【発明の属する技術分野】
本発明は磁気テープ装置に関し、特に、マルチトラック方式でデータ書き込み時にリードアフタライトを行う磁気テープ装置のエラー要因を判別できるようにした装置に関する。
【０００２】
【従来の技術】
一般に、磁気テープ装置のデータ書き込み時の信頼性を向上させるべく、書き込みヘッドから磁気テープに書き込んだデータを直後に読み出しヘッドで読み出してエラーチェックを行うリードアフタライト機能がある。
【０００３】
また、データ読み出し時にヘッドの読み取りレベル低下を監視し、エラー発生時にエラー要因が読み取りヘッドにあるのか、媒体の品質劣化やキズにあるのかを判断する磁気テープ読取装置がある（例えば、特許文献１）。
【０００４】
また、読み取りヘッドの制御電圧をチェックして読み取りヘッドの状態を監視し、適切なタイミングで磁気テープヘッドのクリーニングを行うようにした磁気テープ装置がある（例えば、特許文献２）。
【０００５】
【特許文献１】
特開２０００−９９９０７号公報
【特許文献２】
特開２００２−１５７７１６号公報
【０００６】
【発明が解決しようとする課題】
しかしながら、磁気テープ書き込み動作時のリードアフタライトによりエラーが検出された場合、根本的なエラー要因が、データを書き込んだ書き込み部にあるのか、直後にデータを読み取った再生部にあるのか、あるいはそれ以外の部位にあるのかの判別が困難であるという問題がある。エラー発生時にはエラー解析を行ってエラー要因箇所を絞り込み保守作業を行うが、エラー要因が特定できなければ復旧対策が多大な時間がかかってしまう。
【０００７】
特許文献１または２に記載の技術によれば、読み取りヘッドのエラーを検出することができるが、これらの装置には書き込みヘッドのエラーを検出する機構がない。この技術をリードアフタライトにおけるエラー検出に転用した場合、エラー発生時に読み取りヘッドのエラーか否かを判別することができるが、果たしてエラー要因が書き込みヘッドにあるのかそれ以外にあるのかを特定し絞り込むことができない。
【０００８】
本発明はこのような問題に鑑み、磁気テープへのデータ書き込み時に書き込みヘッドと読み取りヘッドの双方を同時に監視することにより、エラー発生に際しエラー要因が読み取り部にあるのか、書き込み部にあるのか、あるいはそれ以外にあるのかの判別を可能として復旧対策の簡便迅速化に資する磁気テープ装置を提供することを目的とする。
【０００９】
【課題を解決するための手段】
この目的を達成するために、本発明は、磁気テープに書き込んだデータを直後に読み出して検証するリードアフタライト機能を備える磁気テープ装置において、データ書き込み部の異常を検出する書き込み部エラー検出手段と、データ読み取り部の異常を検出する読み取り部エラー検出手段とを備え、前記リードアフタライト機能により書き込みエラーが検出された場合に、エラー要因が前記データ書き込み部にあるのか前記データ読み取り部にあるのかを判別して上位装置に報告することを特徴とする磁気テープ装置に関する。
【００１０】
このように、磁気テープ装置のデータ書き込み部と再生部をそれぞれ監視することにより、エラー発生時にエラー要因が書き込み部にあるのか、それとも再生部にあるのかを正確に把握することが可能となる。これにより、エラー解析やエラー要因の特定を容易にして障害復旧処理を迅速に行うことができる。
【００１１】
この磁気テープ装置において、前記書き込み部エラー検出手段は、書き込みヘッドの書き込み電圧レベルを監視し、前記読み取り部エラー検出手段は、読み取りヘッドからの再生出力レベルを監視してエラー検出を行うことが有効である。
【００１２】
また、前記読み取り部エラー検出手段は、読み取りヘッドからの出力をプリアンプとＡＧＣアンプの間で抽出してエラー検出を行い、前記リードアフタライト機能により書き込みエラーが検出された場合に、（１）前記書き込み部エラー検出手段が異常を検出した場合に書き込みヘッドまたは書き込み回路部の異常として上位装置に報告し、（２）前記読み取り部エラー検出手段が異常を検出した場合に磁気テープまたは読み取りヘッドまたはプリアンプの異常として上位装置に報告し、（３）前記（１）と（２）のいずれでもない場合には再生回路部における前記ＡＧＣアンプより後段の回路またはフォーマッタ部の異常として上位装置に報告するエラー報告手段を備えることが有効である。
【００１３】
さらに、本発明の磁気テープ装置がマルチトラック式の磁気テープ装置であり、トラック毎に前記エラー検出手段が設けられていることが有効である。トラック毎に細分化してエラー要因を上位装置に報告することができる。
【００１４】
なお、前記読み取り部エラー検出手段は、前記リードアフタライト機能によらない通常のデータ再生時にも前記読み取り部のエラーを検出するようにしてもよい。
【００１５】
【発明の実施の形態】
本発明の実施の形態を、添付の図面を参照しながら以下に詳細に説明する。図１は、本発明に係る磁気テープ装置の書き込み部の構成を示す図である。図１に示すように、磁気テープ装置の書き込み部は、磁気テープ（図示せず）にデータの書き込みを行う書き込みヘッド１と、書き込みヘッド１へ流す書き込み電流（Ｉｗｒ、Ｉｗｆ）の方向を決定するトランジスタ２、３と、書き込み電流を制限する抵抗４、５とを備えている。一方のトランジスタ２にはトランジスタＯＮ／ＯＦＦ切替信号が入力し、他方のトランジスタ３にはＯＮ／ＯＦＦが反転回路６により反転された信号が入力する。
【００１６】
データ書き込みにおいて、トランジスタ２および３はベースに入力するトランジスタＯＮ／ＯＦＦ切替信号に応じてＯＮ／ＯＦＦ動作を行う。トランジスタ３に入力する信号は反転回路６により反転されているため、トランジスタの一方がＯＮ制御であれば他方はＯＦＦ制御となる。書き込み電流制限用の抵抗４、５には電圧Ｖｃｃが印加され、トランジスタ２がＯＮであれば書き込みヘッド１に書き込み電流Ｉｗｒが流れ、トランジスタ３がＯＮであれば書き込みヘッド１に逆向きの書き込み電流Ｉｗｆが流れる。書き込みヘッド１は書き込み電流ＩｗｆまたはＩｗｒに応じてデータを磁気テープに書き込む。以上の構成は従来の磁気テープ装置と同様であり、マルチトラック方式の磁気テープ装置においてはトラック毎にこれらの構成を有する。
【００１７】
本発明の磁気テープ装置では、データ書き込み部がさらに、書き込みヘッド１における書き込み電圧レベルを監視する書き込み部エラー検出手段７を備えている。このエラー検出手段７は、書き込みヘッド１を挟んだ経路上に設けられた電圧測定ポイント８、９と、トランジスタＯＮ／ＯＦＦ切替信号に応じて電圧測定ポイント８または９からの分岐入力のいずれかを選択するセレクタ１０、１１と、セレクタ１０の出力とＨｉｇｈレベルしきい値電圧とを比較するＨｉｇｈレベル電圧比較器１２と、セレクタ１１の出力とＬｏｗレベルしきい値電圧とを比較するＬｏｗレベル電圧比較器１３と、これら比較器１２、１３の出力信号を入力とするＯＲ回路１４とを備えている。
【００１８】
書き込み電圧測定ポイント８、９は、書き込みヘッド１への信号ライン途中に設けられた分岐ポイントである。セレクタ１０は、反転器６により反転されたトランジスタＯＮ／ＯＦＦ切替信号に応じて、書き込み電圧測定ポイント８または９の電位の高い方の電圧信号を選択する。すなわち、トランジスタ２がＯＮのときセレクタ１０にはＯＦＦ制御信号が入力するが、セレクタ１０はＯＦＦ信号入力時に測定ポイント９からの電圧信号を選択し、ＯＮ信号入力時に測定ポイント８からの電圧信号を選択する。これに対しセレクタ１１は、トランジスタＯＮ／ＯＦＦ切替信号がＯＮのときに測定ポイント９からの電圧信号を選択し、ＯＦＦ信号入力時に測定ポイント８からの電圧信号を選択する。
【００１９】
Ｈｉｇｈレベル電圧比較器１２は、セレクタ１０の出力電圧を所定のＨｉｇｈレベルしきい値電圧と比較し、セレクタ１０の出力がしきい値を超える場合にＨｉｇｈレベル信号を出力する。Ｌｏｗレベル電圧比較器１３は、セレクタ１１の出力電圧を所定のＬｏｗレベルしきい値電圧と比較し、セレクタ１１の出力がしきい値以下である場合にＨｉｇｈレベル信号を出力する。ＯＲ回路１４は、比較器１３または１４の一方あるいは双方がＨｉｇｈレベル信号を出力する場合に異常信号を出力する。この出力信号は磁気テープ装置のエラー判定部１５へ送られる。なお、マルチトラックの磁気テープ装置の場合、以上の構成は要素１〜６と同様にトラック毎に設けられているものとする。
【００２０】
次に、本発明に係る磁気テープ装置の読み取り部の構成を説明する。図２は、データ読み取り部の構成を示す図である。図２に示すように、データ読み取り部は、磁気テープからのデータ再生を行う再生ヘッド２１と、再生ヘッド２１からの差動再生出力を増幅するプリアンプ２２と、プリアンプ２２の出力レベルが一定となるように更に増幅するＡＧＣアンプ２３とを備えている。ＡＧＣアンプ２３の出力はフォーマッタ部（図示せず）へ送られ、アナログ波形からデジタル波形に整形して処理される。これらの要素は従来の磁気テープ装置の再生部と同様であり、マルチトラックの磁気テープ装置ではトラック毎にこれらの構成を備えるものとする。
【００２１】
本発明の磁気テープ装置では、データ読み取り部がさらに、再生ヘッド２１における再生信号の出力レベルを監視する読み取り部エラー検出手段２４を備えている。このエラー検出手段２４は、プリアンプ２２で増幅された差動再生出力を分岐して交流波形から直流波形へと変換する整流器２５、２６と、積分器２７と、積分器２７の出力を所定の再生出力しきい値電圧と比較する再生出力レベル比較器２８とを備えている。
【００２２】
プリアンプ２２で増幅された差動再生出力は分岐されて整流器２５、２６に入力し、後段の積分器２７を介して交流波形から直流波形へと変換される。再生出力レベル比較器２８は、直流波形に変換された再生出力レベルと所定のしきい値電圧とを比較して、再生出力レベルが異常の場合に異常信号を出力する。この異常信号は、エラー判定部１５に送られる。
【００２３】
エラー判定部は、磁気テープ装置のリードアフタライト機能においてライトエラーが検出された場合、書き込み部エラー検出手段７と読み取り部エラー検出手段２４の出力をチェックする。このとき、書き込み部エラー検出手段７から異常信号が出ている場合は書き込みヘッドまたは書き込み回路部の異常と判定し、読み取り部エラー検出手段２４から異常信号が出ている場合は磁気テープまたは再生ヘッドまたは再生回路部のプリアンプの異常と判定し、いずれの検出手段７、２４も異常信号を出していない場合は再生回路部のＡＧＣアンプ２３より後段の回路またはフォーマッタ部の異常と判定して上位装置に報告する。
【００２４】
このように構成した磁気テープ装置の動作フローを図３に示す。図１に示すデータ書き込み部において、磁気テープへのデータライトが開始されると（ステップＳ１）、リードアフタライト機能により書き込みデータが同時に読み出され、データの正当性が検証される。この検証において書き込みデータに不具合が検出された場合（ステップＳ２）、エラー判定部１５がエラー要因を判定する。
【００２５】
データ書き込み動作において、トランジスタ２のベースに入力するトランジスタＯＮ／ＯＦＦ切替信号によりトランジスタ２がＯＮとなり、他方のトランジスタ３のベースには反転回路６を介したトランジスタＯＮ／ＯＦＦ切替信号が入力するため、トランジスタ３はＯＦＦとなる。これにより、書き込みヘッド１には書き込み電流Ｉｗｒが流れ、書き込みヘッド内のコイルの抵抗成分ｒにより、書き込み電圧測定ポイント８と９との間に電圧差が生じる。このとき、反転されたトランジスタＯＮ／ＯＦＦ切替信号が入力するセレクタ１０は書き込み電圧測定ポイント９からの分岐入力を選択し、セレクタ８は書き込み電圧測定ポイント８からの分岐入力を選択する。
【００２６】
これとは逆に、トランジスタ２がＯＦＦとなり、トランジスタ３がＯＮとなったとき、書き込みヘッド１に逆方向の書き込み電流Ｉｗｆが流れ、コイルの抵抗成分ｒにより測定ポイント８と９の間に電圧差が生じる。このときセレクタ１０はポイント８からの分岐入力を選択し、セレクタ１１はポイント９からの分岐入力を選択する。これらの書き込み電圧値は、Ｈｉｇｈレベル電圧比較器１２とＬｏｗレベル電圧比較器１３で比較監視される。
【００２７】
以下に比較監視の一実施例を説明する。例えば正常な書き込み電圧値が８Ｖである場合、電圧比較器１２の負入力端子にＨｉｇｈレベルしきい値１０Ｖを、電圧比較器１３の正入力端子にＬｏｗレベルしきい値電圧６Ｖを入力しておく。このときＨｉｇｈレベル電圧比較器１２の正入力端子に正常な書き込み電圧値８Ｖが入力する場合、比較器２８はＬｏｗレベル出力を出力する。これに対し、しきい値を超える書き込み電圧１２Ｖが入力した場合、比較器１２の出力はＨｉｇｈレベル出力となり、これが異常信号となる。
【００２８】
また、Ｌｏｗレベル電圧比較器１３の負入力端子に正常な書き込み電圧８Ｖが入力する場合、出力はＬｏｗレベル出力となる。これに対し、しきい値以下の書き込み電圧値４ｖが入力した場合、比較器１３の出力はＨｉｇｈレベル出力となり、これが異常信号となる。
【００２９】
磁気テープへのデータ書き込み時に、データ書き込み部に例えばトランジスタのＯＮ／ＯＦＦ動作不良、書き込みヘッド１の不良、書き込み電流制限抵抗４、５の不良や定数違い、各信号ラインの断線などの不具合が生じていれば、電圧比較器１０または１１からＨｉｇｈレベル信号が出力され、ＯＲ回路１２を介してエラー判定部１５に入力する。エラー判定部１５はこの場合、書き込みヘッドまたは書き込み回路部の異常として上位装置に報告する（ステップＳ３〜Ｓ５）。
【００３０】
また、リードアフタライト機能によるデータ再生動作において、磁気テープからデータが読み出され、再生ヘッド２１から差動再生信号が出力される。この信号はプリアンプ２２で増幅され、ＡＧＣアンプ２３で出力レベルが一定となるよう更に増幅される。ＡＧＣアンプの出力はフォーマッタ部へ送られ、アナログ波形からデジタル波形に整形され処理される。
【００３１】
このとき、プリアンプ２２で増幅された再生出力が整流器２５、２６へ分岐入力され、後段の積分器２７を介して交流波形から直流波形へと変換される。この出力電圧は、再生出力レベル比較器２８で比較監視される。具体的には、例えば正常な再生出力値が１．２Ｖとすると、再生出力レベル比較器２８の正入力端子に１．０Ｖのしきい値電圧を入力しておく。この場合、比較器２８に正常な再生出力値１．２Ｖが入力した場合はＬｏｗレベル出力となるが、しきい値以下の０．１（殆どノイズレベル）が入力した場合、Ｈｉｇｈレベル出力となり、これが異常信号となる。
【００３２】
データ再生部において、再生ヘッド２１の不良、磁気テープの不良、プリアンプ１５の不良等が生じていれば、再生出力レベル比較器２８から異常信号が出力され、エラー判定部１５はこの場合、磁気テープまたは再生ヘッド２１またはプリアンプ２２の異常として上位装置に報告する（ステップＳ６〜Ｓ７）。
【００３３】
書き込み電圧レベルと再生出力レベルのいずれもが正常である場合（ステップＳ３、Ｓ６いずれもＹＥＳ）、エラー判定部１５は、エラー要因がＡＧＣアンプ２３より後段の回路またはフォーマッタ部の異常として上位装置に報告する（ステップＳ８）。
【００３４】
このように、Ｈｉｇｈレベル書き込み電圧比較器１２またはＬｏｗレベル書き込み電圧比較器１３からの異常信号と、再生出力レベル比較器２８からの異常信号を順次判断していくことにより、詳細に区分化されたエラー要因を上位装置へ報告することが可能となる。
【００３５】
マルチトラックの磁気テープ装置において、トラック毎に上述の機構を構成することにより、トラック毎のエラー検出や以上検知を実現することができる。なお、データ再生部におけるエラー検出はデータ書き込み時のみならず、通常のデータ再生時にも行うようにしてもよいことは明らかである。
【００３６】
【発明の効果】
以上に説明したように、本発明によれば、磁気テープ装置の書き込み部と再生部とを組み合わせて同時に監視することにより、リードアフタライト機能を有するマルチトラック式の磁気テープ装置において、エラー要因がどのトラックの書き込み部にあるのか再生部にあるのかを詳細に区分化して上位装置に報告することができる。これにより、エラー解析、エラー要因の特定や絞り込みなどを簡易迅速に行って障害復旧の時間短縮を図ることが可能となる。
【図面の簡単な説明】
【図１】磁気テープ装置のデータ書き込み部の構成を示す図である。
【図２】磁気テープ装置のデータ再生部の構成を示す図である。
【図３】磁気テープ装置のエラー要因判定処理を説明するフローチャートである。
【符号の説明】
１      書き込みヘッド
７      書き込み部エラー検出手段
１０、１１    セレクタ
１２、１３    比較器
１４    ＯＲ回路
１５    エラー判定部
２１    再生ヘッド
２２    プリアンプ
２３    ＡＧＣアンプ
２４    再生部エラー検出手段
２５、２６    整流器
２７    積分器
２８    比較器
【図１】
2005018953.tif 000003
【図２】
2005018953.tif 000004
【図３】
2005018953.tif 000005